【手続補正書】
【提出日】令和2年6月12日(2020.6.12)
【手続補正１】
【補正対象書類名】特許請求の範囲
【補正対象項目名】全文
【補正方法】変更
【補正の内容】
【特許請求の範囲】
【請求項１】
コンピュータに実装された方法であって、
第1のアプリケーションの表示されたアイコンを、デバイスのスクリーンの第1の領域から第2の領域にドラッグするユーザ入力を受信するステップであって、第2のアプリケーションが前記スクリーンの前記第2の領域に表示されており、前記第1の領域は前記第2の領域の外側にあり、ユーザは前記デバイスで前記第1のアプリケーションにログインしている、ステップと、
前記ユーザ入力に応答して、
前記第1のアプリケーションのログイン認証情報を前記第2のアプリケーションに伝送するステップと、
前記第2のアプリケーションによって、前記第2のアプリケーションのサーバを通じて前記第1のアプリケーションのサーバに前記ログイン認証情報を提出するステップと、
前記第2のアプリケーションの前記サーバを通じて前記第1のアプリケーションの前記サーバから通知を受信することに応答して、前記デバイスで前記第2のアプリケーションにログインすることを認証するステップであって、前記通知が、前記ログイン認証情報が検証されたことを指示する、ステップと、を含むコンピュータに実装された方法。
【請求項２】
前記ユーザ入力を受信したときに前記第2のアプリケーションは前記デバイスで前記ユーザにログインされておらず、前記第1のアプリケーションの前記サーバはログイン認証の検証に用いられる、請求項1に記載のコンピュータに実装された方法。
【請求項３】
前記ユーザ入力を受信する前に前記第1のアプリケーションと前記第2のアプリケーションとの関係があらかじめ確立されており、前記第1のアプリケーションおよび前記第2のアプリケーションはモバイルアプリケーションおよびWebアプリケーションを含む、請求項1に記載のコンピュータに実装された方法。
【請求項４】
前記ログイン認証情報は前記第1のアプリケーションの少なくとも1つのアプリケーション識別子と、前記ユーザが前記第1のアプリケーションにログインした後に前記第1のアプリケーションの前記サーバによって前記ユーザに割り当てられたユーザ識別子と、前記ユーザが前記第1のアプリケーションにログインした後に前記第1のアプリケーションの前記サーバによって送られたログイン証明書と、を含む、請求項1に記載のコンピュータに実装された方法。
【請求項５】
前記第2のアプリケーションに成功裏にログインした後に前記第2のアプリケーションを前記スクリーンの第3の領域に表示するステップであって、前記第2の領域は前記第3の領域よりも小さい、ステップをさらに含む、請求項1に記載のコンピュータに実装された方法。
【請求項６】
前記スクリーンの前記第2の領域に表示された、前記第2のアプリケーションに表示されたオブジェクトを前記第1のアプリケーションの前記表示されたアイコンにドラッグする第2のユーザ入力を受信するステップと、
前記第2のユーザ入力に応答して、前記オブジェクトのさらなる処理のために、前記オブジェクトを前記第1のアプリケーションに伝送するステップと、をさらに含む、請求項1に記載のコンピュータに実装された方法。
【請求項７】
前記ユーザ入力を受信する前に、
前記第2のアプリケーションを縮小する第3のユーザ入力を受信するステップであって、前記第2のアプリケーションは前記第3のユーザ入力を受信する前に前記デバイスの前記スクリーンの第3の領域に表示されている、ステップと、
前記第3のユーザ入力に応答して、
前記第2のアプリケーションを縮小するステップであって、前記第2のアプリケーションは前記第2のアプリケーションを縮小した後に前記スクリーンの前記第2の領域に表示されており、前記第2の領域は前記第3の領域より小さい、ステップと、
前記スクリーンの前記第1の領域に少なくとも1つのアイコンを表示するステップであって、前記少なくとも1つのアイコンは前記第1のアプリケーションの前記アイコンを含む、
ステップと、をさらに含む、請求項1に記載のコンピュータに実装された方法。
【請求項８】
コンピュータシステムによって動作を実行するために実施され得る1つ以上の命令を記憶している非一時的なコンピュータ可読記憶媒体であって、
第1のアプリケーションの表示されたアイコンを、デバイスのスクリーンの第1の領域から第2の領域にドラッグするユーザ入力を受信することであって、第2のアプリケーションが前記スクリーンの前記第2の領域に表示されており、前記第1の領域は前記第2の領域の外側にあり、ユーザは前記デバイスで前記第1のアプリケーションにログインしている、ことと、
前記ユーザ入力に応答して、
前記第1のアプリケーションのログイン認証情報を前記第2のアプリケーションに伝送することと、
前記第2のアプリケーションによって、前記第2のアプリケーションのサーバを通じて前記第1のアプリケーションのサーバに前記ログイン認証情報を提出することと、
前記第2のアプリケーションの前記サーバを通じて前記第1のアプリケーションの前記サーバから通知を受信することに応答して、前記デバイスで前記第2のアプリケーションにログインすることを認証することであって、前記通知が、前記ログイン認証情報が検証されたことを指示すること、とを含む、非一時的なコンピュータ可読記憶媒体。
【請求項９】
前記ユーザ入力を受信したときに前記第2のアプリケーションは前記デバイスで前記ユーザにログインされておらず、前記第1のアプリケーションの前記サーバはログイン認証の検証に用いられる、請求項8に記載の非一時的なコンピュータ可読記憶媒体。
【請求項１０】
前記ユーザ入力を受信する前に前記第1のアプリケーションと前記第2のアプリケーションとの関係があらかじめ確立されており、前記第1のアプリケーションおよび前記第2のアプリケーションはモバイルアプリケーションおよびWebアプリケーションを含む、請求項8に記載の非一時的なコンピュータ可読記憶媒体。
【請求項１１】
前記ログイン認証情報は前記第1のアプリケーションの少なくとも1つのアプリケーション識別子と、前記ユーザが前記第1のアプリケーションにログインした後に前記第1のアプリケーションの前記サーバによって前記ユーザに割り当てられたユーザ識別子と、前記ユーザが前記第1のアプリケーションにログインした後に前記第1のアプリケーションの前記サーバによって送られたログイン証明書と、を含む、請求項8に記載の非一時的なコンピュータ可読記憶媒体。
【請求項１２】
前記第2のアプリケーションに成功裏にログインした後に前記第2のアプリケーションを前記スクリーンの第3の領域に表示することであって、前記第2の領域は前記第3の領域よりも小さい、こと、をさらに含む、請求項8に記載の非一時的なコンピュータ可読記憶媒体。
【請求項１３】
前記スクリーンの前記第2の領域に表示された、前記第2のアプリケーションに表示されたオブジェクトを前記第1のアプリケーションの前記表示されたアイコンにドラッグする第2のユーザ入力を受信することと、
前記第2のユーザ入力に応答して、前記オブジェクトのさらなる処理のために、前記オブジェクトを前記第1のアプリケーションに伝送することと、をさらに含む、請求項8に記載の非一時的なコンピュータ可読記憶媒体。
【請求項１４】
前記ユーザ入力を受信する前に、
前記第2のアプリケーションを縮小する第3のユーザ入力を受信することであって、前記第2のアプリケーションは前記第3のユーザ入力を受信する前に前記デバイスの前記スクリーンの第3の領域に表示されている、ことと、
前記第3のユーザ入力に応答して、
前記第2のアプリケーションを縮小することであって、前記第2のアプリケーションは前記第2のアプリケーションを縮小した後に前記スクリーンの前記第2の領域に表示されており、前記第2の領域は前記第3の領域より小さい、ことと、
前記スクリーンの前記第1の領域に少なくとも1つのアイコンを表示することであって、前記少なくとも1つのアイコンは前記第1のアプリケーションの前記アイコンを含む、ことと、をさらに含む、請求項8に記載の非一時的なコンピュータ可読記憶媒体。
【請求項１５】
コンピュータに実装されたシステムであって、前記システムは、
1つ以上のコンピュータと、
1つ以上のコンピュータメモリデバイスであって、前記1つ以上のコンピュータと相互動作可能に連結され、前記1つ以上のコンピュータによって実施されるときに1つ以上の動作を実行する1つ以上の命令を記憶している、有形の非一時的な機械可読記憶媒体と、を含み、前記1つ以上のコンピュータによって1つ以上の動作を実行されるときに、
前記動作は、
第1のアプリケーションの表示されたアイコンを、デバイスのスクリーンの第1の領域から第2の領域にドラッグするユーザ入力を受信することであって、第2のアプリケーションが前記スクリーンの前記第2の領域に表示されており、前記第1の領域は前記第2の領域の外側にあり、ユーザは前記デバイスで前記第1のアプリケーションにログインしている、ことと、
前記ユーザ入力に応答して、
前記第1のアプリケーションのログイン認証情報を前記第2のアプリケーションに伝送することと、
前記第2のアプリケーションによって、前記第2のアプリケーションのサーバを通じて前記第1のアプリケーションのサーバに前記ログイン認証情報を提出することと、
前記第2のアプリケーションの前記サーバを通じて前記第1のアプリケーションの前記サーバから通知を受信することに応答して、前記デバイスで前記第2のアプリケーションにログインすることを認証することであって、前記通知が、前記ログイン認証情報が検証されたことを指示すること、とを含む、コンピュータに実装されたシステム。
【請求項１６】
前記ユーザ入力を受信したときに前記第2のアプリケーションは前記デバイスで前記ユーザにログインされておらず、前記第1のアプリケーションの前記サーバはログイン認証の検証に用いられる、請求項15に記載のコンピュータに実装されたシステム。
【請求項１７】
前記ユーザ入力を受信する前に前記第1のアプリケーションと前記第2のアプリケーションとの関係があらかじめ確立されており、前記第1のアプリケーションおよび前記第2のアプリケーションはモバイルアプリケーションおよびWebアプリケーションを含む、請求項15に記載のコンピュータに実装されたシステム。
【請求項１８】
前記ログイン認証情報は前記第1のアプリケーションの少なくとも1つのアプリケーション識別子と、前記ユーザが前記第1のアプリケーションにログインした後に前記第1のアプリケーションの前記サーバによって前記ユーザに割り当てられたユーザ識別子と、前記ユーザが前記第1のアプリケーションにログインした後に前記第1のアプリケーションの前記サーバによって送られたログイン証明書と、を含む、請求項15に記載のコンピュータに実装されたシステム。
【請求項１９】
前記第2のアプリケーションに成功裏にログインした後に前記第2のアプリケーションを前記スクリーンの第3の領域に表示することであって、前記第2の領域は前記第3の領域よりも小さい、こと、をさらに含む、請求項15に記載のコンピュータに実装されたシステム。
【請求項２０】
前記スクリーンの前記第2の領域に表示された、前記第2のアプリケーションに表示されたオブジェクトを前記第1のアプリケーションの前記表示されたアイコンにドラッグする第2のユーザ入力を受信することと、
前記第2のユーザ入力に応答して、前記オブジェクトのさらなる処理のために、前記オブジェクトを前記第1のアプリケーションに伝送することと、をさらに含む、請求項15に記載のコンピュータに実装されたシステム。